(57)【特許請求の範囲】
【請求項１】
人体の有無を検知する人体検知部と、人体を検知すると第１の一定時間をカウントするタイマ部と、周囲照度の明暗を検知する照度検知部と、前記第１の一定時間カウント中に周囲照度値が第１の設定照度値を下回ると照明負荷を点灯する制御部とを備える照明装置において、周囲照度値が第１の設定照度値又は第２の設定照度値よりも明るい場合に、外部トリガとして、前記周囲照度値が第２の設定照度値より低い状態から高い状態へと移行する明暗反転であること、ドアの開閉であること、電源投入であること、のいずれかを検知してから第２の一定時間内に人体を検知すると前記照明負荷を点灯することを特徴とする照明装置。
【請求項２】
前記第１の一定時間をカウントが終了した場合は前記照明負荷を消灯することを特徴とする請求項１記載の照明装置。
【請求項３】
前記第１の一定時間をカウントが終了した場合は前記照明負荷を低輝度点灯し、前記第１の一定時間をカウント中の場合は前記照明負荷を高輝度点灯することを特徴とする請求項１記載の照明装置。
【請求項４】
前記第２の設定照度値は、前記第１の設定照度値と異なることを特徴とする請求第１項記載の照明装置。
【請求項５】
前記第２の設定照度値は、前記第１の設定照度値と一致することを特徴とする請求第１項記載の照明装置。
【発明の詳細な説明】
【０００１】
【発明の属する利用分野】
本発明は照明装置に関する。
【０００２】
【従来の技術】
本発明に係る従来例として、周囲照度を検知する照度検知部と、人体の有無を検知する人体検知部と、前記照度検知部及び前記人体検知部の検知結果を基に照明負荷の光出力を制御する制御部とを備えるものがあり（例えば特開平９−２６００６６号公報）、その動作波形図を図１３に示し、図１３を参照して動作を簡単に説明する。
【０００３】
人体検知部により人の存在を検知すると制御部へ人体検知信号を送信する。制御部は人体検知信号を受けると第１の一定時間（以下、点灯保持時間と呼ぶ。）をカウントするタイマをスタートする。そのタイマが動作中に周囲照度が設定照度を下回ると照明負荷を点灯する。一旦点灯すると、人体検知信号がなくても或いは周囲照度が設定照度以上になっても前記点灯保持時間カウント中は点灯を維持する。前記点灯保持時間を設けているのは、この様な照明装置に一般的に用いられている、人体から放射される赤外線を検知するセンサでは、人体の移動が略無くなると人体の有無を検出するのが困難になり、人がいるにも関わらず消灯してしまう、という不都合を解消するためである。また、前記点灯保持時間中に周囲照度が設定照度以上になっても点灯を維持するのは、自己の光で周囲照度が設定照度以上になり消灯してしまう、という不都合を解消するためである。
【０００４】
また、上記従来例をトイレ等で使用する場合について図１４を参照して動作を説明する。
（ａ）トイレのドアが閉まっておりトイレ内は暗い（図１４−ａ）。
（ｂ）トイレのドアを開けると外部の照明器具の光がトイレ内部に入る（図１４−ｂ）。
（ｃ）人を検知しても周囲照度値が設定照度値以上であれば点灯しない（図１４−ｃ）。
（ｄ）ドアに窓がなければ、ドア等で影になり外部の光が遮られた時点で点灯する（図１４−ｄ）。
（ｅ）点灯保持時間内であれば、ドアを開けても周囲照度に関わらず点灯する（図１４−ｅ）。
（ｆ）点灯保持時間内であれば、ドアを閉めても周囲照度に関わらず点灯する（図１４−ｆ）。
（ｇ）点灯保持時間カウント終了すると消灯する（図１４−ｇ）。
以上、通常のトイレの使用方法では特に不自然さを感じることはない。
【０００５】
【発明が解決しようとする課題】
しかし、上記従来例では以下に示すような第１の問題点が生じてしまう。
【０００６】
上記従来例において、トイレの清掃時等ドアを開けた状態で用事を済まし、そのままトイレを出てドアを閉めた場合について、図１５を参照して説明する。
（ａ）トイレのドアが閉まっておりトイレ内は暗い（図１５−ａ）。
（ｂ）トイレのドアを開けると外部の照明器具の光がトイレ内部に入る（図１５−ｂ）。
（ｃ）人を検知しても周囲照度値が設定照度値以上であれば点灯しない（図１５−ｃ）。
（ｄ）人が用事を済ますなどして外に出ると、点灯保持時間内であっても、周囲照度値が設定照度値より高いので点灯しない（図１５−ｄ）。
（ｅ）ドアを閉めると周囲照度値が設定照度値より低くなり、点灯保持時間内であれば、トイレ内に人が存在しなくても点灯する（図１５−ｅ）。
（ｆ）点灯保持時間カウント終了すると消灯する（図１５−ｆ）。
【０００７】
つまり、人がトイレ内に存在する（図１５−ｃ）場合に点灯せず、人が外に出てドアを閉めた場合に点灯を開始する（図１５−ｅ）ことがある為、使用者が不自然さを感じ、あるいは誤動作と判断してしまう。以上、トイレ用のセンサ付照明器具で説明したが、内玄関用センサ付照明器具でも同様である。
【０００８】
更に、通路等でセンサ付照明器具が２台以上並んで設置されている場合でも、以下に示すような第２の問題点が生じてしまう。図１６を参照して説明する。
（ａ）今、照明器具２の方から照明器具１へと向かって人が歩いてきたが、人体検知していない為、照明器具は２台とも消灯している（図１６−ａ）。
（ｂ）人が照明器具２の検知領域に移動すると、照明器具２が人体を検知して点灯する。照明器具１は人体を検知していないが、照度検知部は周囲照度値が設定照度値を越えていることを検知している（図１６−ｂ）。
（ｃ）人が照明器具１の検知領域に移動すると、照明器具１が人体を検知する。ここで、照明器具２の点灯保持時間カウントが継続中であれば、照明器具２は点灯を継続する。そのため、照明器具１の照度検知部は周囲照度値が設定照度値を越えていることを検知して点灯しない。（図１６−ｃ）。
（ｄ）照明器具２の点灯保持時間カウントが終了して消灯する。このとき、照明器具１は点灯保持時間カウント継続中で、且つ周囲照度値が設定照度値以下であれば、人が照明器具１から遠ざかっていても点灯する（図１６−ｄ）。
（ｅ）人が照明器具１からさらに遠ざかり、照明器具１の点灯保持時間カウントが終了して消灯する。（図１６−ｅ）。
【０００９】
つまり、人が照明器具１の検知領域内にいる（図１６−ｃ）場合に点灯せず、人が照明器具１から遠ざかった場合に点灯を開始する（図１６−ｄ）ことがある為、使用者が不自然さを感じ、あるいは誤動作と判断してしまう。
【００１０】
本発明は、上記全ての問題点に鑑みてなされたものであり、その目的とするところは、使用者等に不自然さを与えない動作が可能な照明装置を提供することである。
【００１１】
【課題を解決するための手段】
上記問題点を解決するために、請求項１記載の発明によれば、人体の有無を検知する人体検知部と、人体を検知すると第１の一定時間をカウントするタイマ部と、周囲照度の明暗を検知する照度検知部と、第１の一定時間カウント中に周囲照度値が第１の設定照度値を下回ると照明負荷を点灯する制御部とを備え、周囲照度値が第１の設定照度値又は第２の設定照度値よりも明るい場合に、外部トリガとして、前記周囲照度値が第２の設定照度値より低い状態から高い状態へと移行する明暗反転であること、ドアの開閉であること、電源投入であること、のいずれかを検知してから第２の一定時間内に人体を検知すると照明負荷を点灯することを特徴とする。
【００１２】
請求項２記載の発明によれば、第１の一定時間をカウントが終了した場合は照明負荷を消灯することを特徴とする。
【００１３】
請求項３記載の発明によれば、第１の一定時間をカウントが終了した場合は照明負荷を低輝度点灯し、第１の一定時間をカウント中の場合は照明負荷を高輝度点灯することを特徴とする。
【００１４】
ここで、第２の一定時間は３０秒であることを例示できる。
【００１５】
請求項４記載の発明によれば、第２の設定照度値は、第１の設定照度値と異なることを特徴とする。
【００１６】
請求項５記載の発明によれば、第２の設定照度値は、第１の設定照度値と一致することを特徴とする。
【００１７】
ここで、前記周囲照度値が第２の設定照度値より低い状態から高い状態へと移行する明暗反転は、照度検知部によって検出される。
【００１８】
ここで、ドアの開閉は、ドア開閉検知部によって検出される。
【００１９】
ここで、電源投入は、電源電圧検知部によって検出される。
【００２０】
【実施の形態】
（実施の形態１）
本発明に係る第１の実施の形態のブロック構成図を図１に、動作波形図を図２に示す。
【００２１】
本構成は、商用電源等の電源部１と、ｃｄｓ等からなり周囲照度を検知する照度検知部２と、赤外線（ＰＩＲ）や超音波等を利用して人体の有無を検知する人体検知部３と、タイマ部４と、照度検知部２から出力される照度信号及び人体検知部３から出力される人体検知信号及びタイマ部４から出力される時間信号を基に負荷制御信号を出力する制御部５と、負荷制御信号を受けて照明負荷７の光出力を制御する負荷制御部６とを備えてなる。照明負荷７は、蛍光灯や白熱灯など何でも構わず、照明負荷７が白熱灯であれば、例えばトライアックのオンオフにより点滅を行う。また、制御部５と負荷制御部６とは一体構成でもよい。
【００２２】
以下、図２を参照して動作を簡単に説明する。
周囲照度が第１の設定照度（以下、設定照度１と呼ぶ。）より低い状態から高い状態に移行（明暗反転）すると、暗明反転を外部トリガとして点灯保険タイマが動作を開始する。点灯保険タイマがタイムアウトする（例えば略３０秒でタイムアウトする）前に人を検知すると、点灯保持タイマがカウントを開始し、照明負荷７は負荷制御部６によって点灯する。また、周囲照度が設定照度１以下の場合は、人を検知すると点灯保持タイマがカウントを開始し、照明負荷７は負荷制御部６によって点灯する。周囲照度が設定照度１より高く、且つ点灯保険タイマ動作中に人を未検知であると、照明負荷７を消灯する。なお、点灯保持時間カウント中は、例え、周囲照度が設定照度１以上になっても、点灯保持時間カウントが終了するまでは点灯を継続し、制御部５は照度検知結果に応じて動作しない（照度検知禁止）。また、点灯保持時間を設けている理由は、上記従来例と同様であるので説明は省略する。
【００２３】
以上のように構成したことにより、人体検知部と照明検知部とを備え、使用者等に不自然さを与えない動作が可能となる。
【００２４】
（実施の形態２）
本発明に係る第２の実施の形態の動作説明図を図３、図４に示す。
【００２５】
本実施の形態は、上記第１の実施の形態をトイレなどの閉空間に用いたものであり、上記第１の実施の形態と同一構成には同一符号を付すことにより説明を省略する。
【００２６】
先ず、ドアを閉めて閉空間を使用する場合を、図３を用いて動作を簡単に説明する。
（ａ）トイレのドアが閉まっており、トイレ内は周囲照度＜設定照度１である（図３−ａ）。
（ｂ）トイレのドアを開けると外部の照明器具の光がトイレ内部に入る。つまり、周囲照度が設定照度１より暗い状態から明るい状態に移行（明暗反転）する。この明暗反転をトリガとして点灯保険タイマがカウント動作を開始する（図３−ｂ）。
（ｃ）周囲照度が設定照度１以上であるが、点灯保険タイマがカウント動作中である為、人を検知すると点灯保持タイマがカウントを開始し、点灯する（図３−ｃ）。
（ｄ）トイレ内に人が入り、点灯を維持する（図３−ｄ）。
（ｅ）ドアを開けても点灯保持時間内であれば、周囲照度が設定照度１より高くても点灯を維持する（図３−ｅ）。
（ｆ）ドアを閉めても点灯保持時間内であれば、周囲照度が設定照度１より高くても点灯を維持する（図３−ｆ）。
（ｇ）点灯保持時間のカウントが終了すると消灯する（図３−ｇ）。
【００２７】
次に、トイレの清掃時等ドアを開けた状態で用事を済まして、そのままトイレを出てドアを閉めた場合を、図４を用いて動作を簡単に説明する。
（ａ）トイレのドアが閉まっており、トイレ内は周囲照度＜設定照度１である（図４−ａ）。
（ｂ）トイレのドアを開けると外部の照明器具の光がトイレ内部に入る。つまり、周囲照度が設定照度１より暗い状態から明るい状態に移行（明暗反転）する。この明暗反転をトリガとして点灯保険タイマがカウント動作を開始する（図４−ｂ）。
（ｃ）周囲照度が設定照度１以上であるが、点灯保険タイマが動作中である為、人を検知すると点灯保持タイマがカウントを開始し、点灯する（図４−ｃ）。
（ｄ）人が外に出ても点灯保持時間内であれば、点灯を維持する（図４−ｄ）。
（ｅ）ドアを閉めても点灯保持時間内であれば、点灯を維持する（図４−ｅ）。
（ｆ）点灯保持時間のカウントが終了すると消灯する（図４−ｆ）。
【００２８】
以上の様に、人がトイレ内に入室すると確実に点灯を開始する為、使用者等に不自然さを与えない動作が可能となる。なお、本実施の形態ではトイレ用のセンサ付照明器具について説明したが、内玄関用センサ付照明器具に用いても、他の同様の構成に用いても構わない。
【００２９】
（実施の形態３）
本発明に係る第３の実施の形態の動作説明図を図５に示す。
【００３０】
本実施の形態は、上記第１の実施の形態を通路等でセンサ付照明器具が２台以上並んで設置されている場合に用いたものであり、上記第１の実施の形態と同一構成には同一符号を付すことにより説明を省略する。
【００３１】
以下、図５を用いて動作を簡単に説明する。
（ａ）今、照明器具２の方から照明器具１へと向かって人が歩いてきたが、人体検知していない為、照明器具は２台とも消灯している（図５−ａ）。
（ｂ）人が照明器具２の検知領域に移動すると、照明器具２が人体を検知して点灯する。照明器具１は人体を検知していないが、照度検知部は周囲照度が設定照度１を越えていることを検知している。つまり、周囲照度が設定照度１より暗い状態から明るい状態に移行（明暗反転）する。この明暗反転をトリガとして点灯保険タイマがカウント動作を開始する（図１６−ｂ）。
（ｃ）人が照明器具１の検知領域に移動すると、照明器具１が人体を検知する。ここで、照明器具２の点灯保持時間カウントが継続中であれば、照明器具２は点灯を継続する。そのため、照明器具１の照度検知部は周囲照度が設定照度１を越えていることを検知するが、点灯保険タイマが動作している為、点灯を開始する。（図５−ｃ）。
（ｄ）人が照明器具２から遠ざかり、照明器具２の点灯保持時間カウントが終了して消灯する。照明器具１は点灯保持時間内であり点灯を維持する（図５−ｄ）。
（ｅ）人が照明器具１から遠ざかるが、照明器具１は点灯保持時間内であり点灯を維持する（図５−ｅ）。
（ｆ）人が照明器具１からさらに遠ざかり、照明器具１の点灯保持時間カウントが終了して消灯する。（図５−ｆ）。
【００３２】
以上の様に、人が照明器具１の検知領域に居ると確実に点灯を開始する為、使用者等に不自然さを与えない動作が可能となる。
【００３３】
（実施の形態４）
本発明に係る第４の実施の形態の動作波形図を図６に示す。
【００３４】
ブロック構成図は上記第１の実施の形態に示した図１と同様であり、上記第１の実施の形態とは異なる点は、明暗反転を検出する為に、上記設定照度１とは異なる第２の設定照度２（＜設定照度１）を新たに設けたことであり、その他の同一構成には同一符号を付すことにより説明を省略する。
【００３５】
なお、本実施の形態では、点灯保持時間カウント中は高輝度点灯し、それ以外は低輝度点灯するように構成したが、点灯保持時間カウント中は高輝度点灯あるいは低輝度点灯し、それ以外は消灯するように構成してもよい。
【００３６】
（実施の形態５）
本発明に係る第５の実施の形態の動作波形図を図７に示す。
【００３７】
ブロック構成図は上記第１の実施の形態に示した図１と同様であり、上記第１の実施の形態とは異なる点は、点灯保持時間カウント中は高輝度点灯し、それ以外は低輝度点灯するように構成したことであり、その他の同一構成には同一符号を付すことにより説明を省略する。
【００３８】
なお、本実施の形態では、点灯保持時間カウント中は高輝度点灯し、それ以外は低輝度点灯するように構成したが、点灯保持時間カウント中は高輝度点灯あるいは低輝度点灯し、それ以外は消灯するように構成してもよい。
【００３９】
（実施の形態６）
本発明に係る第６の実施の形態のブロック構成図を図８に、その動作波形図を図９に示す。
【００４０】
図１に示した第１の実施の形態と異なる点は、ドアの開閉を検知するドア開閉検知部８を設け、ドアの開閉を外部トリガとして点灯保険タイマが動作する様に構成したことであり、その他の第１の実施の形態と同一構成には同一符号を付すことにより説明を省略する。
【００４１】
（実施の形態７）
本発明に係る第７の実施の形態のブロック構成図を図１０に、その動作波形図を図１１に示す。
【００４２】
図１に示した第１の実施の形態と異なる点は、電源投入（例えば、制御部５を構成するマイクロコンピュータ等への入力電源電圧が設定電圧以上であること）を検知する電源電圧検知部９を設け、電源の投入を外部トリガとして点灯保険タイマが動作する様に構成したことであり、その他の第１の実施の形態と同一構成には同一符号を付すことにより説明を省略する。
【００４３】
この様に構成したことにより、周囲照度に関らず人体検知機能の点検を行うことも可能となる。
【００４４】
（実施の形態８）
本発明に係る第８の実施の形態のブロック構成図を図１２に示す。
【００４５】
図１に示した第１の実施の形態と異なる点は、無線信号を送信する送信器と照明器具とを備えて照明装置を構成したことであり、その他の第１の実施の形態と同一構成には同一符号を付すことにより説明を省略する。
【００４６】
送信器は、送信部１１と、検知領域の人体の有無を検知する人体検知部１４と、例えばマイクロコンピュータなどで構成された制御部１３と、電源部１２とを備えてなる。また、照明器具は、図１に示した照明装置と略同様であり、異なる点は人体検知部３の代わりに送信器から送信されるリモコン信号を受信する受信部１０を設けたことであるので、図１と同一構成には同一符号を付すことにより説明を省略する。
【００４７】
なお、上記全ての実施の形態は、本発明を実施する為に適宜組み合わせて構成しても構わない。
【００４８】
【発明の効果】
請求項１乃至請求項５に記載の発明によれば、使用者等に不自然さを与えない動作が可能であり、また、従来は外部の明かりにより照明器具の照度検知部が明るいと判断すると、検知領域は暗いままであり危険であったが、人体を検知した時点で点灯する為に安全な照明装置を提供できる。
【００４９】
さらに、周囲照度に関らず人体検知機能の点検を行うことが可能な照明装置を提供できる。
【図面の簡単な説明】
【図１】本発明に係る第１の実施の形態のブロック構成図を示す。
【図２】上記実施の形態に係る動作波形図を示す。
【図３】本発明に係る第２の実施の形態の動作説明図を示す。
【図４】上記実施の形態に係る第２の動作説明図を示す。
【図５】本発明に係る第３の実施の形態の動作説明図を示す。
【図６】本発明に係る第４の実施の形態の動作波形図を示す。
【図７】本発明に係る第５の実施の形態の動作波形図を示す。
【図８】本発明に係る第６の実施の形態のブロック構成図を示す。
【図９】上記実施の形態に係る動作波形図を示す。
【図１０】本発明に係る第７の実施の形態のブロック構成図を示す。
【図１１】上記実施の形態に係る動作波形図を示す。
【図１２】本発明に係る第８の実施の形態のブロック構成図を示す。
【図１３】本発明に係る従来例の動作波形図を示す。
【図１４】上記従来例に係る第１の動作説明図を示す。
【図１５】上記従来例に係る第２の動作説明図を示す。
【図１６】上記従来例に係る第３の動作波形図を示す。
【符号の説明】
２        照度検知部
３        人体検知部
４        タイマ部
７        照明負荷
【図１】
0003763201.tif 000002
【図２】
0003763201.tif 000003
【図３】
0003763201.tif 000004
【図４】
0003763201.tif 000005
【図５】
0003763201.tif 000006
【図６】
0003763201.tif 000007
【図７】
0003763201.tif 000008
【図８】
0003763201.tif 000009
【図９】
0003763201.tif 000010
【図１０】
0003763201.tif 000011
【図１１】
0003763201.tif 000012
【図１２】
0003763201.tif 000013
【図１３】
0003763201.tif 000014
【図１４】
0003763201.tif 000015
【図１５】
0003763201.tif 000016
【図１６】
0003763201.tif 000017